(57)【要約】      （修正有）【課題】ゴルフ用のマーカーを使用するときに、取り外しが容易に出来て、マークするまでに時間をかけずに取り出せる、ゴルフ用のマーカーホルダーを提供する。【解決手段】ゴルフ用のマーカーのその軸部を差し込む為の、マーカー取り付け穴１を有する保持部２と、その保持部２の下部に、ベルトを通すベルト挿入部３を有する固定部を備えてゴルフ用のマーカーホルダーを構成する。【選択図】図１
0003112208.tif 000002
【実用新案登録請求の範囲】
【請求項１】
円盤状をした薄い基板下面中央部から垂直に突き出た軸部を持つゴルフ用のマーカーを保持し、ベルトに装着するホルダーであって、ベルトを通すベルト挿入部（３）を１箇所有する固定部（４）の固定部側面（５）に、ゴルフ用のマーカーの軸部を差し込むためのマーカー取り付け穴（１）を、少なくとも１箇所以上有する保持部（２）を備えたゴルフ用のマーカーホルダー。
【請求項２】
ゴルフ用のマーカーの円盤状をした薄い基板下面と、これに対向する保持部（２）のマーカーの軸部の差し込み側である上面（２ａ）との間に、マーカー取り付け穴（１）へマーカーの軸部が挿入されたとき、該軸部の進入を、所定の距離の隙間を有する状態で停止させる進入停止部を備えた請求項１に記載のゴルフ用のマーカーホルダー。
【請求項３】
前記進入停止部が前記保持部（２）の前記上面（２ａ）上の突出した座（２ｂ）で有ること特徴とする請求項１又は請求項２に記載のゴルフ用のマーカーホルダー。
【請求項４】
前記マーカー取り付け穴（１）の底部が、前記進入停止部となることを特徴とする請求項１又は請求項２に記載のゴルフ用のマーカーホルダー。
【請求項５】
ベルトを通すベルト挿入部（３）の一部が開口した、請求項１から請求項４のいずれか一項に記載のゴルフ用のマーカーホルダー。
【請求項６】
ゴルフ用のマーカーホルダーが、ベルトから脱落するのを防止する脱落防止部（７）を前記固定部（４）の固定部端面（６）に設けた、請求項５に記載のゴルフ用のマーカーホルダー。
【考案の詳細な説明】
【技術分野】
【０００１】
ゴルフ用のマーカーホルダーに関する。
【背景技術】
【０００２】
従来の考案品は、ただ単に、設けた穴にゴルフ用のマーカーの軸を差し込むか、あるいはＵ溝に納めて取り外し可能にして、持ち運べるだけであった。
（例えば、特許文献１、特許文献２、特許文献３，特許文献４，特許文献５、特許文献６参照）
【０００３】
又、従来の考案品は、開示されたマーカーホルダー専用の、特殊な形状を備えたゴルフ用のマーカーの取り付けを対象としていた。
（例えば、特許文献１、特許文献３，特許文献４，特許文献５、特許文献６参照）
【０００４】
あるいは、従来の考案品は、どの様なゴルフ用のマーカーに対して利用することが出来るマーカーホルダーなのかが明らかにされていなかった。（例えば、特許文献２参照）
【０００５】
ゴルフ用のマーカーには一般のゴルファーのほとんどが、ゴルフ場に備え付けのプラスチック製で、直径２０ｍｍほどの円盤状をした厚さ１ｍｍ前後の薄い基板部を持ち、その薄い基板下面中央部から垂直に１３ｍｍ程突き出た、根本の直径が４ｍｍ程のテーパーの軸部を持つゴルフ用のマーカーを使用しているが、今まで、このゴルフ場に備え付けのプラスチック製ゴルフ用のマーカーの専用のホルダーは無かった。
【０００６】
今まで、ゴルフのプレー中にグリーン上でマークとして使用するまでのゴルフ場に備え付けのプラスチック製のゴルフ用のマーカーの保管場所は、ズボンのポケットの中か、胸のポケットの中、あるいは、ゴルフクラブのグリップのグリップエンドの端面の小穴を利用して、この小穴にゴルフ用のマーカーの円盤状をした薄い基板部から突き出たテーパー部を持つ軸部を差し込んで、保管していた。
（例えば、非特許文献１参照）
【０００７】
又、ゴルフ場に備え付けのプラスチック製のゴルフ用のマーカーを使用しない人の場合は、磁石の付いたクリップを帽子などに挟んで、そのクリップに磁性体で出来た薄い円盤状のゴルフ用のマーカーを付けて保管していた。
（例えば、非特許文献２参照）
【特許文献１】実開昭５５−３４８２９号公報
【特許文献２】実開昭５５−７５３５７号公報
【特許文献３】実開昭６０−１９５０６７号公報
【特許文献４】実開昭６２−２７６７３号公報
【特許文献５】実開平６−３９０４４号公報
【特許文献６】実開平６−４４５６８号公報
【非特許文献１】”Ｇｏｌｆ  Ｐｒｉｄｅ  Ｇｒｉｐｓ”、”カタログ”、２００４年、日本フェイウィック株式会社
【非特許文献２】”Best Goods Collection ”、 [online]、[ 平成１６年１０月８日検索 ]  、インターネット  ＜ＵＲＬ:http://www.karadaniiimono.co.jp/syouhin-026.htm＞
【考案の開示】
【考案が解決しようとする課題】
【０００８】
特許文献１、特許文献２、特許文献４，特許文献５の考案品は、ゴルフ用のマーカーを取り付けるときは、円盤状をした薄い基板部を上から押して取り付けられるが、該円盤状をした薄い基板下面とマーカーホルダーとの間に隙間がほとんど出来ないので取り外す時に非常に取りだしづらい。
【０００９】
特許文献３の考案品については、一般のゴルフ用のマーカーは軸の長さが１３ｍｍ前後なので、特許文献３の考案品を使用するのであれば、出し入れするとき指先で掴める軸の長さは ３ｍｍから４ｍｍ 程度であり、掴みにくく取り外しが困難であり、軸の長い特別なマーカーが必要となり、ゴルフ場に備え付けのプラスチック製ゴルフ用のマーカーを利用する、一般のゴルファーのほとんどが利用できない。
【００１０】
特許文献６の考案品は、取り付けるゴルフ用のマーカー自体が極めて特殊なので、ゴルフ場に備え付けのプラスチック製ゴルフ用のマーカーを利用する、一般のゴルファーのほとんどが利用できない。
【００１１】
特許文献３及び特許文献６の発明品は、ゴルフ用のマーカーを上からＵ溝に挿入する形状になっているため、Ｕ溝部分を形成する薄い板が刃のように上を向いており、指の怪我をしかねないので、ゴルファーとして利用することは出来ない。
【００１２】
グリップエンドの端面の小穴にゴルフ用のマーカーの円盤状をした薄い基板下面中央部から垂直に突き出た軸部を差し込んで、ゴルフ用のマーカーの円盤状をした薄い基板上面を指で押さえつけて取り付けるとき、グリップエンドの端面が平らな面に近い球面状をしているため、グリップエンドの端面とゴルフ用のマーカーの基板下面との間に隙間がほとんどできない。
【００１３】
このように、隙間がほとんどできない状態にゴルフ用のマーカーが取り付くので、ゴルフボールがグリーン上に載った後、このボールの位置をマークするため、ゴルフ用のマーカーをグリップエンドの端面から指先で取り外そうとするとき、非常に取り外しづらい。又、グリップエンドの端面はゴルフ用のマーカーの円盤状をした薄い基板の直径より大きいので、指先でつまみ上げようとするが上げづらいし、時間もかかり、遅延プレーの一因になっている。
【００１４】
つまみ上げるのが上げづらいので、指を差し入れて取り外そうとすると、爪の爪甲と爪床との間にゴルフ用のマーカーの円盤状をした薄い基板が入って、不快な思いをするだけでなく、時間がかかり、遅延プレーの一因にもなっている。
【００１５】
胸のポケットで保管していると落として無くすことが多く、ズボンのポケットには、ゴルフボール用マーカーの他にゴルフティやゴルフボール、小さなタオル、グローブなどがあり取り出しづらく、指で探さないといけないし、マークするまでに時間がかかり、遅延プレーの一因になっている。また、グローブなどを取り出すときに落としてなくすこともある。
【００１６】
磁性体で出来た薄い円盤状のゴルフ用のマーカーは軸部が無いので、グリーン上に刺すことが出来ず、グリーン上面に浮いた状態となり安定性に欠ける。また、落として無くすこともある。
【００１７】
この考案は、グリーン上に刺すことが出来るゴルフ場に備え付けのプラスチック製で、円盤状をした薄い基板下面中央部から垂直に突き出たテーパーの軸部を持つゴルフ用のマーカーを使用するときに、該マーカーを探さないで済み、取り外しが容易に出来て、取り外すとき、爪の爪甲と爪床との間にゴルフ用のマーカーの円盤状をした薄い基板が入って、不快な思いをしない、又、マークするまでに時間をかけずにゴルフ用のマーカーを取り出し、遅延プレーの一因をなくす、ゴルフ場に備え付けのプラスチック製のゴルフ用のマーカーのホルダーを提供するのが目的である。
【課題を解決するための手段】
【００１８】
円盤状をした薄い基板下面中央部から垂直に突き出た軸部を持つゴルフ用のマーカーを保持し、ベルトに装着するホルダーであって、ベルトを通すベルト挿入部を１箇所有する固定部の固定部側面に、ゴルフ用のマーカーの軸部を差し込むためのマーカー取り付け穴を、少なくとも１箇所以上有する保持部を備えた請求項１のゴルフ用のマーカーホルダーを構成する。
【００１９】
請求項１に記載のものであって、ゴルフ用のマーカーの円盤状をした薄い基板下面と、これに対向する保持部のマーカーの軸部の差し込み側である上面との間に、マーカー取り付け穴へマーカーの軸部が挿入されたとき、該軸部の進入を、所定の距離の隙間を有する状態で停止させる進入停止部を備えた請求項２のゴルフ用のマーカーホルダーを構成する。
【００２０】
請求項１又は請求項２記載のものであって、前記進入停止部が前記保持部の前記上面上の突出した座で有ること特徴とする請求項３のゴルフ用のマーカーホルダーを構成する。
【００２１】
請求項１又は請求項２記載のものであって、前記マーカー取り付け穴の底部が、前記進入停止部となることを特徴とする請求項４のゴルフ用のマーカーホルダーを構成する。
【００２２】
請求項１から請求項４のいずれか一項に記載のものであって、ベルトを通すベルト挿入部の一部が開口した、請求項５のゴルフ用のマーカーホルダーを構成する。
【００２３】
請求項５に記載のものであって、ゴルフ用のマーカーホルダーが、ベルトから脱落するのを防止する脱落防止部を前記固定部の固定部端面に設けた、請求項６のゴルフ用のマーカーホルダーを構成する。
【考案の効果】
【００２４】
ゴルフ用のマーカーホルダーは、マーカー取り付け穴にゴルフ用のマーカーの軸部を差し込んで、スラックス又はスカートの保持用に使用しているベルトをベルト挿入部に通して腰に固定されており、ゴルフ用のマーカーは、グリーン上でゴルフボールのマーカーとして使用するまで該マーカーホルダーに保管されているので、ゴルフ用のマーカーを取り出すのにポケットの中などを探す必要は無く、遅延プレーの一因をなくすことが出来る。
【００２５】
ゴルフ用のマーカーの円盤状をした厚さ１ｍｍ前後の薄い基板下面を受け止める進入停止部となる座を保持部の上面上に設けたことにより、該ゴルフ用のマーカーの基板上面を指で押さえつけて取り付けた時、保持部の上面と該ゴルフ用のマーカーの基板下面との間に必ず指先が入る隙間が出来るので、ゴルフ用のマーカーを掴みやすく容易く取り外すことが出来、遅延プレーの一因をなくすことが出来る。
【００２６】
ゴルフ用のマーカーの軸部の長さよりも保持部のマーカー取り付け穴の深さを浅くしたことにより、該ゴルフ用のマーカーの軸部の進入を制限する進入停止部を有することになるため、ゴルフ用のマーカーの円盤状をした１ｍｍ前後の薄い基板上面部を指で押さえつけて取り付けた時、軸部が根本まで埋まって隙間がなくなることが無く、該ゴルフ用のマーカーの基板下面と保持部との間に必ず隙間が出来るので、ゴルフ用のマーカーを掴みやすく容易く取り外すことが出来、遅延プレーの一因をなくすことが出来る。
【００２７】
ベルトを通すベルト挿入部の一部に開口を設けたときは、スラックス等にベルトを装着した後に、マーカーホルダーをベルトに取り付けることが出来る。
【００２８】
ゴルフ用のマーカーホルダーの固定部に開口を設け、ベルトから脱落するのを防止する脱落防止部を固定部端面に設けたときは、スラックス又はスカートの保持用に使用しているベルトからのゴルフ用のマーカーホルダーの脱落を確実に防止することが出来る。
【考案を実施するための最良の形態】
【００２９】
本考案の最良の形態について説明する。
ベルトを通すベルト挿入部を１箇所有する固定部の固定部側面に、円盤状をした薄い基板下面中央部から垂直に突き出た軸部を持つゴルフ用のマーカーの軸部を差し込むためのマーカー取り付け穴を、少なくとも１箇所以上有する保持部を備え、ゴルフ用のマーカーの円盤状をした薄い基板下面と、これに対向する保持部のマーカーの軸部の差し込み側である上面との間に、マーカー取り付け穴へマーカーの軸部が挿入されたとき、該軸部の進入を、所定の距離の隙間を有する状態で停止させる前記保持部の前記上面上の突出した座、もしくは、前記マーカー取り付け穴の底部の進入停止部を有すること特徴とし、スラックス又はスカートの保持用に使用しているベルトに装着するゴルフ用のマーカーホルダーであり、該軸部の進入を、所定の距離の隙間を有する状態で停止させる進入停止部を備えたことにより、ゴルフ用のマーカーの基板下面と保持部との間に必ず隙間が出来るので、ゴルフ用のマーカーを掴みやすく容易く取り外すことが出来、遅延プレーの一因をなくすことが出来る。
【００３０】
ベルトを通すベルト挿入部は一部を開口しても良いし、開口したときにベルトから脱落するのを防止する脱落防止部を前記固定部の固定部端面に設けて、ベルトから脱落するのを防止することが出来る。
【実施例１】
【００３１】
図１において、マーカー取り付け穴１を保持部２の上面２ａに１箇所設け、ベルトを通すベルト挿入部３を保持部２の下部の適応する位置に１箇所設ける。又、上面２ａ上に上面２ａの一部を突出、縮径させて進入停止部となる座２ｂを設けた。なお、その形成方法は上面２ａの一部を突出させることに限定されない、座２ｂは後から合着させてもよい。マーカー取り付け穴１は１箇所に限定されない、少なくとも１箇所以上５個程度まで設けてもよい。
【００３２】
上面２ａ上に座２ｂを設けないことも出来るが、座２ｂを設けないときは、マーカー取り付け穴１の深さをマーカーの基板下面中央部から垂直に突き出た軸部長さより浅くして、該軸部の軸先端を止める進入停止部を設け、マーカーの基板上面を押してマーカーを取り付けるときに、該軸部が根本まで埋まって、掴みにくく取り外しづらいことがない様に、マーカーの薄い基板下面と保持部２の上面２ａとの間に必ず指先が入る隙間を作る。
【００３３】
指先が入る隙間は５ｍｍで良い。５ｍｍの隙間を作るために、マーカーの薄い基板下面中央部から垂直に突き出た軸部の長さが１３ｍｍのとき、マーカー取り付け穴１の深さを８ｍｍとれば、基板上面を押してマーカーを取り付けるときでも確実に５ｍｍの隙間を確保出来る。なお、隙間は５ｍｍに限定されないし、マーカー取り付け穴１の深さも８ｍｍに限定されない。
【００３４】
マーカー取り付け穴１は丸穴である。しかし、丸穴に限定されない。又、マーカー取り付け穴１は全長にわたって同径である。なお、マーカー取り付け穴１は全長にわたって同径でなくてもよくテーパーでもよい。
【００３５】
マーカー取り付け穴１は、根本が直径４ｍｍほどのテーパー部を有する軸部を持つゴルフ用のマーカーの軸部直径より、直径でその根本の径より１ｍｍほど小さくすればよい。
なお、１ｍｍほど小さくすることに限定されない。
【００３６】
マーカー取り付け穴１は固定部４の固定部外側面５の面に対して垂直に取り付けた。なお、スラックス又はスカートの保持用に使用しているベルトをベルト挿入部３に通して、固定部４を腰に固定するので、ゴルフ用のマーカーの軸部を入れやすいように傾けてもよい。
【００３７】
保持部２をマーカー取り付け穴１の穴側から見ると形状は円形であり、円形の直径はゴルフ用のマーカーの円盤部直径約より、直径で４ｍｍほど小さくすれば良い。なお、マーカー取り付け穴１の穴側から見る形状は円形に限定されないし、該円形の直径を小さくすることについて、その寸法を４ｍｍだけに限定されない。
【００３８】
座２ｂをマーカー取り付け穴１の穴側から見ると形状は円形であり、円形の直径はマーカー取り付け穴１の穴部直径約より、直径で４ｍｍほど大きくすればよい。なお、マーカー取り付け穴１の穴側から見る形状は円形に限定されなし、該円形の直径を大きくすることについて、その寸法を４ｍｍだけに限定されない。
【００３９】
保持部２は固定部４の固定部外側面５の所定部位に合着されている。なお、合着されることに限定されない、保持部２と固定部４を樹脂などで一体で構成してもよい。
【００４０】
保持部２の材質はエラストマー樹脂を使用している。なお、ゴムや他の樹脂でもよい。
【００４１】
固定部４は鉄製の板を折り曲げて構成している。なお、折り曲げなくて溶接で構成してもよい。
【００４２】
脱落防止７は固定部４の固定部端面６のいずれか一方の端部に固着している。なお、固定部端面６のいずれか一方の端部を脱落防止７の長さ分だけ伸ばして折り曲げてもよい。
【００４３】
固定部４と脱落防止７はそれぞれ鉄製の材質でつくっている。なお、鉄製の材質に限定されない。それぞれをプラスチックの材質で作ってもよいし、固定部４と脱落防止７はプラスチックの材質で一体で作ってもよいし、アルミ合金の鋳物で一体で作ってもよいし、アルミ押出材で一体で作ってもよい。
【００４４】
脱落防止部７は固定部端面６の一方に固着している。なお、一方に固着するだけでなく固定部端面６の他方と繋がってもよいし、固着してもよい。又、脱落防止部７と固定部４と保持部２は固着して構成される。なお、固着せず一体で作ってもよい。
【００４５】
ゴルフ用のマーカーの円盤状をした厚さ１ｍｍ前後の薄い基板下面と保持部２の上面２ａとの間に必ず指先が入る隙間が出来るので、ゴルフ用のマーカーを取り外す時に、爪の爪甲と爪床との間にゴルフ用のマーカーの円盤状をした薄い基板が入って、不快な思いをすることも無く、又、掴みやすく容易く取り外すことが出来き、遅延プレーの一因をなくすことが出来るので、ゴルフ場の一日の入場者を増やせることにつながり、ゴルフ場の経営改善にも貢献出来る。
【実施例２】
【００４６】
本形態は図１の実施例１とは、図及び以下に説明する異なる構成部分を除いて同様であるので、同様の構成、作用、効果については説明を省略する。
【００４７】
図２は、マーカー取り付け穴１の深さをマーカーの基板下面中央部から垂直に突き出た軸部長さより浅くして進入停止部を設けるときの、マーカー取り付け穴１の底部が進入停止部となるマーカーホルダーである。
【実施例３】
【００４８】
本形態は図１の実施例１とは、図及び以下に説明する異なる構成部分を除いて同様であるので、同様の構成、作用、効果については説明を省略する。
【００４９】
図３は、マーカー取り付け穴１の深さをマーカーの基板下面中央部から垂直に突き出た軸部長さより浅くして進入停止部を設けるときの、保持部２を合着したことにより、合着する面側の固定部外側面５が、マーカー取り付け穴１の底部を形成することになるマーカーホルダーである。
【実施例４】
【００５０】
本形態は図１の実施例１とは、図及び以下に説明する異なる構成部分を除いて同様であるので、同様の構成、作用、効果については説明を省略する。
【００５１】
図４は、マーカー取り付け穴１の深さをマーカーの基板下面中央部から垂直に突き出た軸部長さより浅くして進入停止部を設けるときの、保持部２を合着したことにより、合着する面側の固定部外側面５が、マーカー取り付け穴１の底部を形成することになるマーカーホルダーである。
【実施例５】
【００５２】
本形態は図１の実施例１とは、図及び以下に説明する異なる構成部分を除いて同様であるので、同様の構成、作用、効果については説明を省略する。
【００５３】
図５は、マーカー取り付け穴１の深さをマーカーの基板下面中央部から垂直に突き出た軸部長さより浅くして進入停止部を設けるときの、保持部２と固定部４とを一体で構成し、マーカー取り付け穴１の底部が進入停止部となるマーカーホルダーである。
【実施例６】
【００５４】
本形態は図１の実施例１とは、図及び以下に説明する異なる構成部分を除いて同様であるので、同様の構成、作用、効果については説明を省略する。
【００５５】
図６は、マーカー取り付け穴１の深さをマーカーの基板下面中央部から垂直に突き出た軸部長さより浅くして進入停止部を設けるとき、保持部２と固定部４とを一体で構成し、複数のマーカー取り付け穴１を設けたときの、それぞれのマーカー取り付け穴１の底部が進入停止部となるマーカーホルダーである。
【図面の簡単な説明】
【００５６】
【図１】本考案の実施の形態を示した実施例１の断面図である。
【図２】本考案の実施の形態を示した実施例２の断面図である。
【図３】本考案の実施の形態を示した実施例３の断面図である。
【図４】本考案の実施の形態を示した実施例４の断面図である。
【図５】本考案の実施の形態を示した実施例５の断面図である。
【図６】本考案の実施の形態を示した実施例６の断面図である。
【符号の説明】
【００５７】
１      マーカー取り付け穴
２      保持部
２ａ    上面
２ｂ    座
３      ベルト挿入部
４      固定部  
５ 固定部外側面
６ 固定部端面
７ 脱落防止部
【図１】
0003112208.tif 000003
【図２】
0003112208.tif 000004
【図３】
0003112208.tif 000005
【図４】
0003112208.tif 000006
【図５】
0003112208.tif 000007
【図６】
0003112208.tif 000008